(57)【特許請求の範囲】
【請求項１】
ステンレス製中空円筒状のヘッドレスト本体と、前記ヘッドレスト本体の中空円筒の両端に内蔵される２台の空気振動式スピーカと、前記中空円筒の端部内面と前記空気振動式スピーカの先端周縁部近傍をコーキング材で密封したことを特徴とする浴槽用スピーカ内蔵ヘッドレスト。
【請求項２】
ステンレス製中空円筒状のヘッドレスト本体は、平面視で湾曲形状をし、正面視で直線形状をしていることを特徴とする請求項１記載の浴槽用スピーカ内蔵ヘッドレスト。
【請求項３】
前記ステンレス製中空円筒状のヘッドレスト本体を覆う形状とサイズのウレタン製中空円筒状カバーで前記ヘッドレスト本体を覆ったことを特徴とする請求項２記載の浴槽用スピーカ内蔵ヘッドレスト。
【発明の詳細な説明】
【技術分野】
【０００１】
本発明は、浴槽用スピーカ内蔵ヘッドレストに関するもので、特に、簡単な構成で壊れにくく、かつ性能の良い音を発する浴槽用のスピーカ内蔵ヘッドレストに関するものである。
【背景技術】
【０００２】
〈浴室内で音楽を楽しむ従来例〉
浴室内で音楽を楽しむために、従来の公知例では浴室の壁面にスピーカを設置していた。しかし、それによるとスピーカ設置のためのフックを壁面に埋め込むために壁面を加工することが不可避であり、また、浴室内に張り出しているスピーカが美観を損ねるばかりかスピーカで頭等をぶつけるおそれもあった。
これを解消するものとして特許文献１記載の発明がある。
【０００３】
〈特許文献１記載の発明〉
引用文献１記載の発明は、浴室の壁面にスピーカを設置しなくても、高品質の音楽が得られかつ心地良い入浴環境が確保できることを目的としたものである。
特許文献１記載のヘッドレストは、浴槽内の入浴者の頭部を支持する浴槽用頭部支持具に、空気振動式のスピーカ２個を両端に、骨伝導スピーカ２個を中央位置に配置している。頭部支持具の中央位置には、凹部を形成し、そこにポリウレタンフォーム等の弾性緩衝素材により形成されるクッション体を嵌め込んで、入浴者が頭部をクッション体に載せると頭部の自重を受けて変形し所定のクッション性を発揮して頭部を支持している。このクッション体に骨伝導スピーカが２個、その骨伝導部が上面に面一に露出するように配置され、この状態で骨伝導スピーカとクッション体の上表面が弾性防水被膜により覆われている。
そこで、頭部の後頭部をクッション体に載せると、後頭部が弾性防水被膜を介して骨伝導部に密着して骨伝導により音が聴取できるようになる、というものである。
【先行技術文献】
【特許文献】
【０００４】
【特許文献１】特開２００７−２２８３０６号公報
【０００５】
〈特許文献１記載の発明の効果〉
特許文献１記載の発明によれば、空気振動式のスピーカから耳元への音楽再生に加え、入浴者の頭部に対し骨伝導に基づく音楽再生も伝達させることができるようになり、これにより入浴中において頭部を頭部支持具に支持させてリラックスした状態の入浴者に対し、高品質の音楽を付与することができ、かかる高品質の音楽の付与によりより深い心地良さを与えることができるようになり、さらに、従来のボディソニックのような設備によればその振動が浴室外にも伝わることによる影響も懸念されるのに対し、これによればそのような影響を及ぼすおそれも殆どなく、かかる不都合を解消させることができる、という格別の効果がある。
【０００６】
〈特許文献１記載の発明の問題点〉
しかしながら、特許文献１記載の発明は、２個の空気振動式スピーカの他に、高価な２個の骨伝導式スピーカを必要とし、しかも、骨伝導式スピーカを取り付けるためのクッション体が必要であり、さらに、このクッション体に骨伝導スピーカの骨伝導部が上面に２個とも面一に露出するように配置することが必要であり、加えて、骨伝導スピーカとクッション体の上表面を覆うための弾性防水被膜も必要となった。取り付け構造が複雑となり、また部品点数が多くなり、製造費が高くなった。さらに、弾性防水被膜が破れると高価な骨伝導式スピーカが故障してしまう恐れがった。
【発明の概要】
【発明が解決しようとする課題】
【０００７】
本発明は上記問題点を解決するためになされたもので、高価な骨伝導式スピーカを使わないで、空気振動式のスピーカだけで特許文献１記載の発明と同じように、高品質の音楽を聴くことのでき、しかも従来のヘッドレスト付き浴槽と外形・寸法が変わらない浴槽用スピーカ内蔵ヘッドレストを提供することを目的としている。
【課題を解決するための手段】
【０００８】
前述の課題を解決するため、本願第１発明は浴槽用スピーカ内蔵ヘッドレストに係り、ステンレス製中空円筒状のヘッドレスト本体と、前記ヘッドレスト本体の中空円筒の両端に内蔵される２台の空気振動式スピーカと、前記中空円筒の端部内面と前記空気振動式スピーカの先端周縁部近傍をコーキング材で密封したことを特徴としている。
本願第２発明は、第１発明の浴槽用スピーカ内蔵ヘッドレストにおいて、ステンレス製中空円筒状のヘッドレスト本体は、平面視で湾曲形状をし、正面視で直線形状をしていることを特徴としている。
本願第３発明は、第２発明の浴槽用スピーカ内蔵ヘッドレストにおいて、前記ステンレス製中空円筒状のヘッドレスト本体を覆う形状とサイズのウレタン製中空円筒状カバーで前記ヘッドレスト本体を覆ったことを特徴としている。
【発明の効果】
【０００９】
本発明によれば、高価な骨伝導式スピーカを使わないで空気振動式のスピーカだけで、高品質の音楽を聴くことができるようになる。
また、入浴者がヘッドレストに後頭部を載せた状態で頭の向きを変えても頭を安定して支持できる。
また、ウレタン樹脂の弾性で入浴者の後頭部を優しく保護することができる。
【図面の簡単な説明】
【００１０】
【図１】図１は本発明に係る浴槽用スピーカ内蔵ヘッドレストを分解して示した正面図である。
【図２】図２は本発明に係る浴槽用スピーカ内蔵ヘッドレストを浴槽の縁に取り付けた図で、（Ａ）は正面図、（Ｂ）は側面図である。
【図３】図３は本発明に係る浴槽用スピーカ内蔵ヘッドレストを構成ずる主要部たるヘッドレスト本体の三面図で、（Ａ）は上面断面図、（Ｂ）は正面図、（Ｃ）は側面図である。
【図４】図４はヘッドレスト本体にスピーカを取り付けた図で、（Ａ）は底面図、（Ｂ）は正面図、（Ｃ）は側面図である。
【図５】図５は本発明に用いるカバーの三面図で、（Ａ）は底面図、（Ｂ）は正面図、（Ｃ）は側面図である。
【図６】図６は本発明が使用するスピーカをステンレス製中空円筒部に収納した状態を示す正面断面図である。
【図７】図７は図４のスピーカ付きヘッドレスト本体に図５のカバーを取り付けた本発明の完成図で、（Ａ）は底面図、（Ｂ）は正面図、（Ｃ）は側面図である。
【図８】図８は図７の本発明に係る浴槽用スピーカ内蔵ヘッドレストを浴槽の縁に取り付けた取り付け部を拡大して示した図で、（Ａ）は正面図、（Ｂ）は側面図である。
【図９】図９は入浴者が本発明に係る浴槽用スピーカ内蔵ヘッドレストを使用している状態を示す側面図である。
【発明を実施するための形態】
【００１１】
以下、図面を参照しつつ、本発明に係る浴槽用スピーカ内蔵ヘッドレストの実施形態の一例について説明する。
【００１２】
〈浴槽用スピーカ内蔵ヘッドレスト１０の構成〉
図１において、１０が本発明に係る浴槽用スピーカ内蔵ヘッドレスト（以後、「ヘッドレスト」という。）で、中空円筒状のヘッドレスト本体１１と、ヘッドレスト本体１１の全体を覆うカバー１２と、ヘッドレスト本体１１の中空円筒の両端に内蔵される空気振動式スピーカ（以後、「スピーカ」という。）１３とで構成されている。カバー１２で覆われ、スピーカ１３が内蔵されたヘッドレスト本体１１から成る本発明に係るヘッドレスト１０は、図２のように浴槽Ｂの上縁に取り付けられる。浴槽Ｂは足を伸ばして入浴できる楕円形状をしており、ヘッドレスト１０はその楕円形状の曲率半径の小さな部位に取り付けられているので、リラックスして浴槽に浸かっている入浴者の後頭部を支持することとなる（図９参照）。
以下、ヘッドレスト本体１１、カバー１２、スピーカ１３について説明する。
【００１３】
〈ヘッドレスト本体１１〉
図３において、ヘッドレスト本体１１は、ステンレス製の中空円筒部１１Ｃと、中空円筒部１１Ｃに溶接され中空円筒部１１Ｃから半径方向外側に向けてに立設された２本のボルト１１Ｎと、ボルト１１Ｎに螺合するナットＮと、そして中空円筒部１１Ｃに溶接された取り付け台１１Ｔとから構成されている。
【００１４】
《中空円筒部１１Ｃ》
中空円筒部１１Ｃは、矩形状のステンレス金属板を曲げ加工した長尺状の中空円筒である。その外形は平面視で、図３（Ａ）のように緩やかに湾曲しているので、入浴者Ｗ（図９）が後頭部を載せた状態で頭の向きを変えても頭を安定して支持できる。また、中空円筒部１１Ｃは正面視で図３（Ｂ）のように直線状となっていて、正面視で水平な浴槽の縁に安定して取り付けられるようにしている。
ここで１実施例として、中空円筒部１１Ｃの板の厚みは３ｍｍ、中空円筒部１１Ｃの外径は７０ｍｍ、内径は６４ｍｍ、中空円筒部１１Ｃの成す平面視円弧の曲率半径は３６０ｍｍである。
【００１５】
《取り付け台１１Ｔ》
取り付け台１１Ｔは、中空円筒部１１Ｃを浴槽Ｂ（図２）の上縁に取り付けるための仲介物で、彎曲した長尺状の側面部の２面と、彎曲した長尺状の底面部と、前記側面部の２面と底面部とで画成される空間を塞ぐ短尺状の両端部とから成るすべてステンレス製金属板でできた長尺状の細長い台形状をしており、中空円筒部１１Ｃとの接触部を溶接で一体化して構成される。
図４（Ａ）において、取り付け台１１Ｔの底面部（浴槽に接する側の金属板）に長さ方向に間隔をあけて２箇所にボルト挿通孔１１Ｂがあけられ、ボルト１１Ｎが挿通している。また、２個のボルト挿通孔１１Ｂの間の中央に信号線貫通孔１１Ｋがあけられ、スピーカ信号線１３Ｌが貫通している。
【００１６】
〈カバー１２〉
カバー１２は、ヘッドレスト本体１１Ｈの全体を覆う弾性のある素材でできており、金属製のヘッドレスト本体に入浴者の頭部が直接当たらないように保護する役目をしている。カバー１２の外形は図５に示すように、長さ方向に亘ってスリット１２Ｓの設けられたスリット付き中空円筒となっており、平面視でヘッドレスト本体１１Ｈ（図３（Ａ））と同じく緩やかに湾曲をしており、正面視で図３（Ｂ）のように直線状となっている。カバー１２の中空円筒の大きさはヘッドレスト本体１１Ｈを隙間なく包み込むことのできる大きさである。カバー１２の材質は、スリット付き中空円筒の形状を常時維持する所定の剛性と、ヘッドレスト本体１１Ｈの上から被せるときにスリット１２Ｓの端部１２Ｅを互いに拡開できる弾力性を備えたものが好ましく、例えばポリウレタンで実施することができる。
１実施例として、ポリウレタン製の中空円筒カバー１２は、厚みが５ｍｍ、外径は８０ｍｍ、内径は７０ｍｍ、中空円筒部１１Ｃの成す平面視円弧の曲率半径は３６５ｍｍである。
【００１７】
〈スピーカ１３〉
スピーカ１３は図６に示すようなコーン型スピーカを用いることができる。
コーン型スピーカ１３にはスピーカフレーム１３Ｆがあり、このスピーカフレーム１３Ｆの後端の先細部に磁気回路１３Ｊが取り付けられ、スピーカフレーム１３Ｆの先端の拡開部はスピーカ先端周縁部１３Ｔに取り付けられている。
磁気回路１３ＪはマグネットＭを含むヨークから成るドーナツ型永久磁石で、ドーナツ型永久磁石１３Ｊの穴にあたる円筒形の空間にわずかな磁気空隙Ｇをあけてそれよりわずかに直径の小さい筒である円筒形をしたボイスコイルボビン１３Ｖが配置されている。ボイスコイルボビン１３Ｖはプラスチック等の筒で軽量に作られており動き易くなっている。この筒の上に巻線１３Ｗが巻き付けられてボイスコイルができている。ボイスコイルボビン１３Ｖはスピーカフレーム１３Ｆに取り付けられた周方向複数個所でダンパ１３Ｄにて中心保持され、磁気空隙Ｇに嵌まり込むように結合されている。ボイスコイルボビン１３Ｖの先端には、コーン（円錐）状の振動板１３Ｃが繋がっている。また、ボイスコイルボビン１３Ｖの振動板側の面を覆うようにセンターキャップ１３Ｓが被着されている。
振動板１３Ｃは樹脂等を加工して円錐状に形成されて、振動し易くなっている。振動板１３Ｃの先端の円錐開口端はスピーカフレーム１３Ｆの先端に取り付けられている。振動板１３Ｃの前面全体に保護用のメッシュ１３Ｍが張られている。  ボイスコイルボビン１３Ｖが前後運動をすると、それが振動板１３Ｃを振動させるようになり、音となる。
スピーカ１３全体は防滴処理されているので、水滴が付着してもスピーカとして機能する。
また、スピーカフレーム１３Ｆの拡開先端の外側と中空円筒部１１Ｃの内部との隙間をウレタン等のコーキング材１３Ｕを塗付することで隙間を防水シーリングすると共にヘッドレスト本体１１Ｈに固定している。
このようにして、磁気回路１３Ｊとボイスコイルボビン１３Ｖおよび振動板１３Ｃはスピーカフレーム１３Ｆによって支持され、ボイスコイルボビン１３Ｖは、スピーカ１３の中心軸に沿って図６の前後（図で左右）方向に移動可能に支持されている。コーン型スピーカは、振動板１３Ｃ、ボイスコイルボビン１３Ｖ、磁気回路１３Ｊ、スピーカフレーム１３Ｆがすべて中空円筒部１１Ｃの内部に収納され、スピーカ先端周縁部１３Ｔだけが中空円筒部１１Ｃから突出して固定されている
【００１８】
《コーン型スピーカの動作》
コーン型スピーカ１３はボイスコイル１３Ｖは紙やプラスチックの筒に導線１３Ｗを巻きつけた軽量のコイルであるため、この導線１３Ｗに音声信号が流れると「フレミングの左手の法則」によって音声信号の大きさ（波形）に合わせて前後方向に振動する。ボイスコイルボビン１３Ｖが前後に振動すると、これと繋がっている振動板１３Ｃがボイスコイルボビン１３Ｖの振動と一緒に振動することで、音声信号と等しい波形の音がスピーカからしたがってまた中空円筒部１１Ｃから空気中に放射される。
【００１９】
図７は図４に示したヘッドレスト本体１１に図５に示したカバー１２が覆われて完成した本発明のヘッドレストである。図８は図７の本発明のヘッドレスト１０を浴槽Ｂの上縁に取り付けた状態を示している。浴槽Ｂの上縁は縦断面視でアールが形成されているので、そのアールにあわせるように、取り付け台１１Ｔの底面部は削られている。
ヘッドレスト本体１１の中空円筒の両端にスピーカ１３を内蔵し、スピーカ１３のスピーカ先端周縁部１３Ｔだけが中空円筒の端部から露出している。
スピーカ１３の信号線１３Ｌは貫通孔１１Ｋからヘッドレスト本体１１の外に導出しており、ヘッドレスト本体１１が浴槽の縁部に取り付けられたとき浴槽の信号線貫通孔を通って浴槽の縁部下方に導出され、浴室外のプレーヤーに接続される。もちろん、ヘッドレスト内に受信器を内蔵して、音声信号を無線でヘッドレストに送って、スピーカの信号線１３Ｌをコードレスにすることも可能である。
【００２０】
図９は入浴者が本発明に係るヘッドレスト１０を使用している状態を示す側面図である。浴槽の縁部に設けられたボルト挿通孔にヘッドレスト本体１１のボルト１１Ｎが挿通され、ナットＮで締結されている。入浴者Ｍがヘッドレスト１０に後頭部を当接させると、ヘッドレスト１０を構成するステンレス製中空円筒の端部から音楽を心地よく聴くことができる。
【００２１】
《本発明のステンレス製中空円筒の機能》
コーン型スピーカ１３がスピーカ先端周縁部１３Ｔだけが中空円筒部１１Ｃから突出して他部はすべてヘッドレスト本体１１Ｈのステンレス製の中空円筒内に収納・固定されることで、ステンレス製の中空円筒がオーディオのエンクロージャー（箱）の役割をして特に低音域の再生能力に効果を発揮し、入浴者Ｍに心地よく音楽を聴かせることができる。
このように、本発明によれば、特許文献１記載のヘッドレストスピーカが備えている特殊な骨伝導スピーカを２台も使用しなくても、ステンレス製の中空円筒にコーン型スピーカを埋め込み、スピーカ先端周縁部だけ中空円筒部から突出させ、スピーカ先端部近傍を中空円筒部と接着させることで、特許文献１記載のヘッドレストスピーカの効果と遜色ない音声を得られることができた。
【００２２】
〈まとめ〉
以上のように、本発明によれば、空気振動式のスピーカ１３をヘッドレスト本体１１のステンレス製中空円筒の両端内部に収納し、スピーカ端部とステンレス製中空円筒をコーキング材で密封し、ヘッドレスト本体１１をウレタン製のカバー１２で覆うだけで、特殊な骨伝導スピーカを使用しなくても、特許文献１記載のヘッドレストスピーカの効果と遜色ないどころか音の再生能力ではこれより優れたものとなり、しかもシンプルな構成であるので、頑丈で、故障し難く、メンテナンスが簡単なものとなる特長がある。
また、スピーカを浴室の壁面に取り付けるといったことをしなくて、従来のヘッドレスト付き浴槽と実質同じ形状・寸法であるにもかかわらず、そこから音楽が聴けるようになる、といった特長がある。
【符号の説明】
【００２３】
１０  本発明に係る浴槽用スピーカ内蔵ヘッドレスト
１１  ヘッドレスト本体
１１Ｂ  ボルト挿通孔
１１Ｃ  中空円筒部
１１Ｋ  貫通孔
１１Ｎ  ボルト
１１Ｔ  取り付け台
１２  カバー
１２Ｓ  スリット
１３  空気振動式スピーカ
１３Ｃ  振動板
１３Ｄ  ダンパ
１３Ｆ  スピーカフレーム
１３Ｊ  磁気回路
１３Ｌ  スピーカ信号線
１３Ｍ  メッシュ
１３Ｓ  センターキャップ
１３Ｔ  スピーカ先端周縁部
１３Ｕ  コーキング材
１３Ｖ  ボイスコイルボビン
１３Ｗ  巻線
Ｂ  浴槽
Ｍ  入浴者
Ｎ  ナット
Ｇ  磁気空隙
【図１】
0005549035.tif 000002
【図２】
0005549035.tif 000003
【図３】
0005549035.tif 000004
【図４】
0005549035.tif 000005
【図５】
0005549035.tif 000006
【図６】
0005549035.tif 000007
【図７】
0005549035.tif 000008
【図８】
0005549035.tif 000009
【図９】
0005549035.tif 000010